(57)【要約】【課題】コネクタが外れることを防止するコネクタ離脱防止装置を提供する。【解決手段】コネクタ離脱防止装置１０は、開口と開口の近傍に開口とは異なる貫通孔とを備える板部３０と、端部にストッパーを有する柱状部２３とコネクタ２から延設するコード３を把持する把持部２２とを一方の面に備え弾性を有する差込口カバー２０と、を備え、板部３０と差込口カバー２０とは、貫通孔に柱状部２３が貫通することにより組み付いており、差込口カバー２０は、柱状部２３を貫通孔から抜き差しすることで板部３０に対して遠近自在に移動可能であって、板部３０から離隔した場合に貫通孔から突出したストッパーが板部３０と当接することにより板部３０からの分離が防止され、開口からコネクタ２が差込口に差し込まれた場合に、ストッパーが板部３０と当接し、把持部２２がコード３を把持するとともに、把持部２２の端面がコネクタ２の端面と当接する。【選択図】図２
2015185292.tif 000002
【特許請求の範囲】
【請求項１】
開口と、前記開口の近傍に前記開口とは異なる貫通孔と、を備える板部と、
弾性を有する差込口カバーと、
を備えるコネクタ離脱防止装置であって、
前記差込口カバーは、前記差込口カバーの一方の面に、端部にストッパーを有する柱状部と、コネクタから延設するコードを把持する把持部と、を備え、
前記板部と前記差込口カバーとは、前記貫通孔に前記柱状部が貫通することにより組み付いており、
前記差込口カバーは、前記柱状部を前記貫通孔から抜き差しすることで前記板部に対して遠近自在に移動可能であって、前記板部から離隔した場合に前記貫通孔から突出した前記ストッパーが前記板部と当接することにより前記板部からの分離が防止され、
前記開口から前記コネクタが差込口に差し込まれた場合に、
前記ストッパーが前記板部と当接し、
前記把持部が前記コードを把持するとともに、前記把持部の端面が前記コネクタの端面と当接する、
ことを特徴とするコネクタ離脱防止装置。
【請求項２】
前記板部は、前記開口の近傍に、前記貫通孔と異なる挿入溝をさらに備え、
前記コネクタが前記差込口から外された場合に、
前記柱状部を前記貫通孔に没入する方向に移動させ、前記把持部を前記挿入溝に挿入することによって、前記差込口カバーにより前記開口を覆う、
ことを特徴とする請求項１に記載のコネクタ離脱防止装置。
【請求項３】
前記板部は、前記差込口カバーを収納可能な凹部を前記開口の周囲に備え、
前記差込口カバーにより前記開口を覆った場合に、
前記差込口カバーは前記凹部に収納され、
前記差込口カバーの外側面と前記板部の外側面とは面一となる、
ことを特徴とする請求項２に記載のコネクタ離脱防止装置。
【請求項４】
前記把持部は、前記コードを挿入する部分の幅が前記コードのいずれの方向の幅より狭く、前記コードを収容する部分の中空形状が前記コードの断面形状と同一である、
ことを特徴とする請求項１乃至３の何れか１項に記載のコネクタ離脱防止装置。
【請求項５】
前記ストッパーは、くさび形状である、
ことを特徴とする請求項１乃至４の何れか１項に記載のコネクタ離脱防止装置。
【請求項６】
前記柱状部と前記把持部とは、前記差込口カバーと一体成形されている、
ことを特徴とする請求項１乃至５の何れか１項に記載のコネクタ離脱防止装置。
【請求項７】
前記コネクタが、掛止機構を備えていない、
ことを特徴とする請求項１乃至６の何れか１項に記載のコネクタ離脱防止装置。
【発明の詳細な説明】
【技術分野】
【０００１】
この発明は、コネクタ離脱防止装置に関する。
【背景技術】
【０００２】
メスコネクタを備えた筐体において、メスコネクタの差込口にオスコネクタが差し込まれていない場合に、差込口をカバーでふさぐことは広く知られている。
【０００３】
また、コネクタには、ＬＡＮ端子（ＲＪ−４５）やＲＳ−２３２Ｃ（Ｄ−Ｓｕｂ２５ｐｉｎ，９ｐｉｎ）のように、ロック構造やネジ構造等の掛止機構により、メスコネクタからオスコネクタが抜けないようにしているものある。
【０００４】
その一方で、差込プラグやＵＳＢコネクタ、ＩＥＥＥ１３９４コネクタ、ＨＤＭＩ（登録商標）コネクタ、フォーンコネクタ等のコネクタは、掛止機構を備えていないため、メスコネクタとオスコネクタとが容易に抜き差し可能である。
【０００５】
これらの掛止機構を備えないコネクタは、オスコネクタから延設されたコードが不意に引っ張られると、メスコネクタからオスコネクタが外れてしまう。
【０００６】
この問題を解決するため、特許文献１には、先端に穴が形成されている防じんキャップが開示されている。
【０００７】
この防じんキャップは、オスコネクタであるプラグを、メスコネクタであるジャックに接続する際に、プラグから延設するコードを防じんキャップの先端の穴に通してプラグを接続し、防じんキャップを形成するゴムの弾性によりジャック側へプラグを押圧して、ジャックからプラグが抜けることを防止している。
【先行技術文献】
【特許文献】
【０００８】
【特許文献１】特開平１０‐１２５３９３号公報
【発明の概要】
【発明が解決しようとする課題】
【０００９】
しかしながら特許文献１に記載の防じんキャップでは、プラグが引っ張られる方向に対して防じんキャップが斜めに配置されているため、プラグに対する押圧力が十分ではなく、プラグが容易に抜けてしまうおそれがあった。
【００１０】
この発明はかかる現状に鑑みてなされたものであり、オスコネクタがメスコネクタから容易に外れることを防止するコネクタ離脱防止装置を提供することを目的とする。
【課題を解決するための手段】
【００１１】
上記目的を達成するため、この発明のコネクタ離脱防止装置は、
開口と、前記開口の近傍に前記開口とは異なる貫通孔と、を備える板部と、
弾性を有する差込口カバーと、
を備えるコネクタ離脱防止装置であって、
前記差込口カバーは、前記差込口カバーの一方の面に、端部にストッパーを有する柱状部と、コネクタから延設するコードを把持する把持部と、を備え、
前記板部と前記差込口カバーとは、前記貫通孔に前記柱状部が貫通することにより組み付いており、
前記差込口カバーは、前記柱状部を前記貫通孔から抜き差しすることで前記板部に対して遠近自在に移動可能であって、前記板部から離隔した場合に前記貫通孔から突出した前記ストッパーが前記板部と当接することにより前記板部からの分離が防止され、
前記開口から前記コネクタが差込口に差し込まれた場合に、
前記ストッパーが前記板部と当接し、
前記把持部が前記コードを把持するとともに、前記把持部の端面が前記コネクタの端面と当接する。
【発明の効果】
【００１２】
この発明によれば、コネクタが差込口に差し込まれた場合に、板部とストッパーとが当接することによって、差込口カバーが所定の位置で係止するとともに、把持部の端面とコネクタの端面とが当接することによって、把持部の端面がコネクタの端面を押止する。したがって、コネクタが差込口から容易に外れることを防止することができる。
【図面の簡単な説明】
【００１３】
【図１】本発明の実施の形態に係るコネクタ離脱防止装置で、差込口カバーをめくりあげて、差込口を開口した状態の斜視図である。
【図２】本発明の実施の形態に係るコネクタ離脱防止装置で、コネクタを差込口に差し込み、把持部によりコードを把持した状態の斜視図である。
【図３】本発明の実施の形態に係るコネクタ離脱防止装置における差込口カバーを、一方から見た斜視図である。
【図４】本発明の実施の形態に係るコネクタ離脱防止装置における差込口カバーを、他方から見た斜視図である。
【図５】本発明の実施の形態に係るコネクタ離脱防止装置で、貫通孔から柱状部を引き出し差込口カバーをめくりあげた状態の斜視図である。
【図６】本発明の実施の形態に係るコネクタ離脱防止装置における板部の斜視図である。
【図７】本発明の実施の形態に係るコネクタ離脱防止装置で、差込口を差込口カバーによりふさいだ状態の斜視図である。
【発明を実施するための形態】
【００１４】
以下、この発明の実施の形態に係るコネクタ離脱防止装置１０について図面を参照して説明する。
【００１５】
この発明の実施の形態に係るコネクタ離脱防止装置１０は、オスコネクタ２がメスコネクタ１の差込口１ａに差し込まれた場合、板部３０とストッパー２３ｂとが当接することによって、差込口カバー２０が所定の位置で係止するとともに、把持部２２の端面とオスコネクタ２の端面とが当接することで、把持部２２の端面がオスコネクタ２の端面を押止することにより、オスコネクタ２が差込口１ａから容易に外れることを防止する。
【００１６】
また、オスコネクタ２がメスコネクタ１の差込口１ａから外された場合、メスコネクタ１の差込口１ａを差込口カバー２０がふさいで塵等の侵入を防止する。
【００１７】
図１は、本実施の形態に係るコネクタ離脱防止装置１０が、メスコネクタ１をそなえた筐体（図示せず）に設けられた状態の例を示している。
【００１８】
本実施の形態に係るコネクタ離脱防止装置１０は、図１に示すように、差込口カバー２０（カバー収納部３２からめくりあげられた状態）と、板部３０と、から構成される。
【００１９】
差込口カバー２０は、図１に示すようにオスコネクタ２がメスコネクタ１の差込口１ａから外された場合には、筐体（図示せず）に備わるメスコネクタ１の差込口１ａをふさぎ、図２に示すようにオスコネクタ２がメスコネクタ１の差込口１ａに差し込まれた場合には、メスコネクタ１からオスコネクタ２の離脱を防止する部材であって、弾性を備える合成樹脂等から成形される。そのため、差込口カバー２０は、図１に示すようにめくりあげることができる。
【００２０】
また、差込口カバー２０は、図３に示すように、カバー本体２１と把持部２２と柱状部２３とから構成され、これらのカバー本体２１と把持部２２と柱状部２３とは、一体成形されている。そのため、差込口カバー２０は、生産が容易であって、強度や耐久性に優れ、コネクタ離脱防止装置の部品数を抑えることができる。
【００２１】
カバー本体２１は、差込口カバー２０の一部分であって差込口１ａをふさぐ機能を有している。この実施の形態におけるカバー本体２１は、長方形である平板状の弾性体であって、図４に示すように長方形面の一方（板部３０に対向する面）に、把持部２２と柱状部２３とを備えている。
【００２２】
把持部２２は、図２に示すように、オスコネクタ２がメスコネクタ１に差し込まれた場合に、オスコネクタ２から延設するコード３を把持するとともにオスコネクタ２の端面を押圧する部分であって、図４に示すように、突出部２２ａとコード収容部２２ｂとから構成される。
【００２３】
突出部２２ａは、図４に示すように、カバー本体２１から突出する柱状の部分であって、カバー本体２１とコード収容部２２ｂとを継合する。
【００２４】
また、コード収容部２２ｂは、図２に示すように、コード３が挿入されて把持する部分であって、図４に示すように、挿入口２２ｃと中空部２２ｄとが形成されている。
【００２５】
挿入口２２ｃは、コード３を中空部２２ｄに挿入するための開口であって、挿入口２２ｃの向きが、図４に示すように突出部２２ａの逆向きに形成され、挿入口２２ｃの幅Ｗは、コード３の外径φａ（図２参照）より狭く形成されている。なお、挿入口２２ｃの先端部２２ｅ（図４参照）には丸み面取りがされているため、コード３を容易に挿入することができる。
【００２６】
また、中空部２２ｄは、挿入口２２ｃから挿入したコード３が収容される部分であって、中空部２２ｄの内径φｂ（図４参照）は、コード３の外径φａ（図２参照）と同一に形成されている。そのため、コード３はコード収容部２２ｂによって抱持され、容易に外れない。なお、本実施の形態におけるコード３の断面形状は丸形であるため、図４に示すように、中空部２２ｄの形状も丸形に形成されている。
【００２７】
柱状部２３は、図５に示すように、板部３０の貫通孔３３に挿入されることにより、差込口カバー２０と板部３０とを組み付ける機能を有する部分であって、図４に示すように、長軸柱２３ａとストッパー２３ｂと小径柱２３ｃとから構成される。なお、前述したように、差込口カバー２０は一体成形されるため、これらについても一体成形される。
【００２８】
長軸柱２３ａは、図４に示すように、突出部２２ａと同様に、カバー本体２１の長方形面の一方（板部３０に対向する面）から突出する円柱状の部分である。長軸柱２３ａの外径φｃは、貫通孔３３の内径φｄ（図６参照）より小さく形成されている。したがって、図５に示すように、貫通孔３３に貫入した長軸柱２３ａは、貫通口３３から抜き差しすることができ、長軸柱２３ａと一体に成形されたカバー本体２１は板部３０に対して遠近自在に移動する。
【００２９】
また、ストッパー２３ｂは、図４に示すように、長軸柱２３ａの先端に長軸柱２３ａと一体に成形された円柱状の部分である。ストッパー２３ｂの先端部分の周縁には面取りが施されており、ストッパー２３ｂの形状がくさび形状となっている。そのため、ストッパー２３ｂを貫通口３３に押し込むことで容易に貫通させることができる。また、ストッパー２３ｂの外径φｅは、貫通孔３３の内径φｄ（図６参照）より大きく形成されている。そのため、一旦ストッパー２３ｂを貫通させた後は、当該ストッパー２３ｂは貫通孔３３から容易に抜けず（ストッパー２３ｂが板部３０と当接するため）、差込口カバー２０と板部３０とが分離してしまうことを防止することができる。
【００３０】
小径柱２３ｃは、図４に示すように、ストッパー２３ｂの端面に、ストッパー２３ｂと一体に成形された円柱状の部分である。小径柱２３ｃの外径φｆは、貫通孔３３の外径φｅ（図６参照）よりも小さく形成されている。そのため、ストッパー２３ｂを貫通孔３３に貫入する際に、小径柱２３ｃが貫通孔３３から外れることがなく案内となるため、ストッパー２３ｂを貫通孔３３に容易に貫入することができる。
【００３１】
板部３０は、樹脂や金属等の剛性部材によって形成された板状の部材であって、図６に示すように、開口部３１とカバー収納部３２と貫通孔３３と挿入溝３４とを備え、メスコネクタ１を備える筐体（図示せず）に設けられる。
【００３２】
開口部３１は、筐体（図示せず）に備えられたメスコネクタ１の差込口１ａにオスコネクタ２を自在に着脱可能とするために設けられており、図６に示すように、板部３０を貫通する開口である。開口部３１の形状は、差込口１ａの外形より大きく形成されている。
【００３３】
また、カバー収納部３２は、図６に示すように、開口部３１の周囲に、カバー本体２１が収納できるように形成された凹部であって、メスコネクタ１の差込口１ａからオスコネクタ２を外して差込口１ａをふさぐ場合に、図７のようにカバー本体２１を収納する。なお、カバー収納部３２の凹部の深さＤ（図６参照）は、カバー本体２１の厚さＴ（図３参照）と同一に形成されている。したがって、図７のようにカバー本体２１がカバー収納部３２に収納されると、カバー表面２１ａと板部表面３０ａは面一となる。
【００３４】
また、貫通孔３３は、図６に示すように、カバー収納部３２内（開口部３１の近傍）に配置され、板部３０を貫通する円孔である。
【００３５】
前述のとおり、貫通孔３３には柱状部２３が挿入される。そして、貫通孔３３の内径φｄ（図６参照）は、長軸柱２３ａの外径φｃ（図４参照）より大きく形成されている。そのため、長軸柱２３ａは貫通孔３３を抜き差しすることができ、長軸柱２３ａと一体成形されたカバー本体２１は板部３０に対して遠近自在に移動する。
【００３６】
また、前述のとおり、長軸柱２３ａの先に形成されたストッパー２３ｂの外径φｅ（図４参照）は、貫通孔３３の内径φｄ（図６参照）より大きく形成されているため、貫通孔３３を突出したストッパー２３ｂは、貫通孔３３から抜けない。したがって、図５のように、長軸柱２３ａを貫通孔３３から引き出すと、図に表れないストッパー２３ｂが板部３０と当接し、柱状部２３は所定の位置で係止する。
【００３７】
挿入溝３４は、オスコネクタ２がメスコネクタ１の差込口１ａから外された場合に、把持部２２を挿入して収納する溝であって、図６に示すように、カバー収納部３２内（開口部３１の近傍）に配置される。挿入溝３４の形状は、図４に示すコード収容部２２ｂをカバー本体２１に投影した外形形状よりやや大きめに形成されている。また、挿入溝３４の深さは、把持部２２が収納された場合に把持部２２の先端が挿入溝３４に当接しないようにするため、カバー本体２１からの把持部２２の最大高さＨ（図４参照）より深いことが必要である。なお、本実施例では、板部３０の厚さが最大高さＨより薄いため、挿入溝３４は板部３０を貫通している。
【００３８】
このように、挿入溝３４が板部３０に形成されていることによって、把持部２２を挿入溝３４に挿入して収納でき、オスコネクタ２がメスコネクタ１の差込口１ａから外された場合、図７に示すように差込口１ａがカバー本体２１によってふさがれる。
【００３９】
次に、本実施の形態に係るコネクタ離脱防止装置１０を用いて、オスコネクタ２がメスコネクタ１から外れることを防止する動作について、図面を用いて以下に説明する。
【００４０】
まず、本実施の形態に係るコネクタ離脱防止装置１０を、図１に示すように、メスコネクタ１をそなえた筐体（図示せず）に設ける。
【００４１】
そして、長軸柱２３ａを、図５に示すように貫通孔３３から引き出し、長軸柱２３ａの先端に形成されたストッパー２３ｂ（図示せず）を板部３０と当接させ、ストッパー２３ｂと一体に成形された長軸柱２３ａを所定の位置で係止する。長軸柱２３ａはカバー本体２１と一体に成形されているため、カバー本体２１は長軸柱２３ａと連結する部分が係止する。
【００４２】
そして、図２に示すように、板部３０の開口部３１を通してオスコネクタ２をメスコネクタ１に差し込み、オスコネクタ２から延設するコード３を、めくりあげたカバー本体２１に備わる把持部２２のコード収容部２２ｂに形成された挿入口２２ｃに挿入して中空部２２ｄに収容するとともに、オスコネクタ２の端面に把持部２２の端面を当接させる。
【００４３】
メスコネクタ１とオスコネクタ２とは、お互いを掛止する機構を備えず、抜き差しが容易であり、コード３が引っ張られると、メスコネクタ１からオスコネクタ２が外れてしまう。
【００４４】
しかし、上記のように、ストッパー２３ｂが板部３０と当接することによって長軸柱２３ａが係止し、係止する長軸柱２３ａと一体に成形されたカバー本体２１に備わる把持部２２の端面によりオスコネクタ２の端面が押圧されるため、コード３が引っ張られてもオスコネクタ２がメスコネクタ１から外れることを防止することができる。
【００４５】
次に、オスコネクタ２がメスコネクタ１の差込口１ａから外された場合に、本実施の形態に係るコネクタ離脱防止装置１０を用いてメスコネクタ１の差込口１ａをふさぐ動作について、図面を用いて説明する。
【００４６】
メスコネクタ１にオスコネクタ２を差し込んだ状態（図２参照）から、メスコネクタ１からオスコネクタ２を取り外した状態（図５参照）にする。そして、図１に示すように、長軸柱２３ａを貫通孔３３に没入させて、カバー本体２１の貫通孔３３と連結する部分をカバー収納部３２に挿入し、図７に示すように、めくりあがったカバー本体２１を倒し、把持部２２を挿入溝３４に挿入し、カバー本体２１の全体をカバー収納部３２に収納する。このことにより、差込口１ａはカバー本体２１によってふさがれる。したがって、塵等が差込口１ａに侵入することを防止することができる。
【００４７】
また、前述のとおり、カバー収納部３２の凹部の深さＤ（図６参照）とカバー本体２１の厚さＴ（図３参照）とは同一に形成されている。そのため、図７のように、カバー表面２１ａと板部表面３０ａは面一となる。したがって、外観を損なうことなく差込口１ａをふさぐことができる。
【００４８】
上記では、本発明に係る実施の形態を具体的に説明したが、本発明のコネクタ離脱防止装置１０は、以下に示す、板部３０と弾性を有する差込口カバー２０とを備えていればよい。
【００４９】
具体的に、板部３０は、開口部３１と、開口部３１の近傍に貫通孔３３を備えていればよい。また、差込口カバー２０は、差込口カバー２０の一方の面に、端部にストッパー２３ｂを有する柱状部２３と、オスコネクタ２から延設するコード３を把持する把持部２２と、を備えていればよい。
【００５０】
また、板部３０と差込口カバー２０とは、貫通孔３３に柱状部２３が貫通することにより組み付いており、差込口カバー２０は、柱状部２３を貫通孔３３から抜き差しすることで板部３０に対して遠近自在に移動可能である。また、板部３０から離隔した場合には、貫通孔３３から突出したストッパー２３ｂが板部３０と当接するため、板部３０からの分離が防止される。
【００５１】
そして、オスコネクタ２が、筐体（図示せず）に設けられたメスコネクタ１の差込口１ａに、開口部３１を通して差し込まれた場合に、板部３０とストッパー２３ｂとが当接することによって差込口カバー２０が所定の位置で係止し、把持部２２がコード３を把持するとともに、把持部２２の端面とオスコネクタ２の端面とが当接することによって把持部２２の端面がオスコネクタ２の端面を押止する。したがって、オスコネクタ２がメスコネクタ１の差込口１ａから容易に外れることを防止することができる。
【００５２】
以上、本発明に係る実施の形態について説明したが、具体的な構成はこの実施の形態に限られるものではなく、本発明の要旨を逸脱しない範囲の設計変更等も含まれる。
【００５３】
上記実施の形態では、長軸柱２３ａの形状を円柱とする例を示したが、長軸柱２３ａの形状は、例えば角柱や帯のように他の形状により形成してもよい。この場合、貫通孔３３は、長軸柱２３ａの断面形状と相似形状であって、長軸柱２３ａの断面積より大きな穴に形成することが好ましい。また、ストッパー２３ｂは、貫通孔３３に押し込むことができるとともに貫通孔３３から突出した後は貫通孔３３から抜けない形状であれば、いずれの形状であってもよい。
【００５４】
また、コード収容部２２ｂの挿入口２２ｃの向きが、突出部２２ａの逆向きに形成されている例を示したが、コード３を把持することができれば、いずれの向きであってもよい。
【００５５】
また、上記実施の形態では、コード収容部２２ｂに収容されるコード３の断面形状が丸形である例を示したが、これは一例である。コード３の断面形状は、例えば、電源コードのように平形であっても、またその他の形状であってもよい。この場合、コード３が挿入され収容されるコード収容部２２ｂの中空部２２ｄの形状は、コード３の断面形状と同一の形状とすることが好ましい。この場合においても、挿入口２２ｃの幅Ｗは、上記実施の形態と同様に、コード３の最小厚より狭くすることが好ましい。
【００５６】
また、上記実施の形態では、掛止機構を備えないコネクタ（差込プラグやＵＳＢコネクタ、ＩＥＥＥ１３９４コネクタ、ＨＤＭＩ（登録商標）コネクタ、フォーンコネクタ等）にコネクタ離脱防止装置１０を用いる場合を例に説明したが、これに限られず掛止機構を備えるコネクタ、例えば、ＬＡＮ端子（ＲＪ−４５）やＲＳ−２３２Ｃ（Ｄ−Ｓｕｂ２５ｐｉｎ，９ｐｉｎ）に用いても良い。
【００５７】
また、上記実施の形態では、メスコネクタ１がコネクタ離脱防止装置１０ではなく筐体に備わっている例を示したが、メスコネクタ１はコネクタ離脱防止装置１０の板部３０に設けられていてもよい。
【００５８】
また、上記実施の形態では、板部３０が筐体とは別体である例を示したが、板部３０は筐体と一体に形成されていても良い。
【００５９】
上記の実施の形態の一部又は全部は、以下の付記のようにも記載されうるが、以下には限られない。
【００６０】
（付記１）
開口と、前記開口の近傍に前記開口とは異なる貫通孔と、を備える板部と、
弾性を有する差込口カバーと、
を備えるコネクタ離脱防止装置であって、
前記差込口カバーは、前記差込口カバーの一方の面に、端部にストッパーを有する柱状部と、コネクタから延設するコードを把持する把持部と、を備え、
前記板部と前記差込口カバーとは、前記貫通孔に前記柱状部が貫通することにより組み付いており、
前記差込口カバーは、前記柱状部を前記貫通孔から抜き差しすることで前記板部に対して遠近自在に移動可能であって、前記板部から離隔した場合に前記貫通孔から突出した前記ストッパーが前記板部と当接することにより前記板部からの分離が防止され、
前記開口から前記コネクタが差込口に差し込まれた場合に、
前記ストッパーが前記板部と当接し、
前記把持部が前記コードを把持するとともに、前記把持部の端面が前記コネクタの端面と当接する、
ことを特徴とするコネクタ離脱防止装置。
【００６１】
（付記２）
前記板部は、前記開口の近傍に、前記貫通孔と異なる挿入溝をさらに備え、
前記コネクタが前記差込口から外された場合に、
前記柱状部を前記貫通孔に没入する方向に移動させ、前記把持部を前記挿入溝に挿入することによって、前記差込口カバーにより前記開口を覆う、
ことを特徴とする付記１に記載のコネクタ離脱防止装置。
【００６２】
（付記３）
前記板部は、前記差込口カバーを収納可能な凹部を前記開口の周囲に備え、
前記差込口カバーにより前記開口を覆った場合に、
前記差込口カバーは前記凹部に収納され、
前記差込口カバーの外側面と前記板部の外側面とは面一となる、
ことを特徴とする付記２に記載のコネクタ離脱防止装置。
【００６３】
（付記４）
前記把持部は、前記コードを挿入する部分の幅が前記コードのいずれの方向の幅より狭く、前記コードを収容する部分の中空形状が前記コードの断面形状と同一である、
ことを特徴とする付記１乃至３の何れかに記載のコネクタ離脱防止装置。
【００６４】
（付記５）
前記ストッパーは、くさび形状である、
ことを特徴とする付記１乃至４の何れかに記載のコネクタ離脱防止装置。
【００６５】
（付記６）
前記柱状部と前記把持部とは、前記差込口カバーと一体成形されている、
ことを特徴とする付記１乃至５の何れかに記載のコネクタ離脱防止装置。
【００６６】
（付記７）
前記コネクタが、掛止機構を備えていない、
ことを特徴とする付記１乃至６の何れかに記載のコネクタ離脱防止装置。
【符号の説明】
【００６７】
１０    コネクタ離脱防止装置
２０    差込口カバー
２１    カバー本体
２１ａ  カバー表面
２２    把持部
２２ａ  突出部
２２ｂ  コード収容部
２２ｃ  挿入口
２２ｄ  中空部
２３    柱状部
２３ａ  長軸柱
２３ｂ  ストッパー
３０    板部
３０ａ  板部表面
３１    開口部
３２    カバー収納部
３３    貫通孔
３４    挿入溝
１      メスコネクタ
１ａ    差込口
２      オスコネクタ
３      コード
【図１】
2015185292.tif 000003
【図２】
2015185292.tif 000004
【図３】
2015185292.tif 000005
【図４】
2015185292.tif 000006
【図５】
2015185292.tif 000007
【図６】
2015185292.tif 000008
【図７】
2015185292.tif 000009